(57)【特許請求の範囲】
【請求項１】
遊技者の操作によって遊技球が打ち込まれる遊技領域と、
前記遊技領域に配置された入球口と、
前記入球口から入球した前記遊技球を案内する連絡通路と、
前記連絡通路によって案内された前記遊技球を受け入れ可能かつ下側に遊技球が通過可能な開口が形成された複数の球受部を有し、遊技状態に応じて回動する回動体と、
前記複数の球受部のうちの少なくとも一つである特定球受部に案内された前記遊技球を前記特定球受部から外部に排出可能な特定排出部、および前記遊技球を前記特定球受部内で保持可能な非排出部を有するベース部材と、
前記特定排出部を閉状態とする位置と前記特定排出部を開状態とする位置との間を遊技状態に応じて移動する開閉部材と、を備え、
前記回動体が回動している状態、かつ前記開閉部材によって前記特定排出部が開状態とされている前記特定球受部内の前記遊技球は、前記特定球受部が前記特定排出部に位置しないときには前記特定球受部内に保持された状態で前記非排出部上を転動する一方、前記特定球受部が前記特定排出部に位置することでその保持されていた特定球受部から前記特定排出部を通じて外部に排出され、
前記回動体が回動している状態、かつ前記開閉部材によって前記特定排出部が閉状態とされている前記特定球受部内の前記遊技球は、前記特定球受部内に保持された状態で前記非排出部上および前記開閉部材上を転動するとともに、この転動する遊技球を保持する特定球受部には新たな遊技球が入球不能に構成され、
前記回動体は、前記複数の球受部のうちの少なくとも一つであって、前記特定球受部と同一平面に沿うように設けられた前記特定球受部とは異なる特別球受部を有するとともに、前記ベース部材は、前記特別球受部に保持された前記遊技球を外部に排出可能な、前記特定排出部と同一平面に沿うように設けられた前記特定排出部とは異なる特別排出部を有し、
前記特定球受部内に保持された前記遊技球は、前記開閉部材によって開状態とされた前記特定排出部上に前記特定球受部が位置したときに前記特定排出部に入球可能に構成される一方、前記特定球受部が前記特別排出部上に位置しても前記特別排出部に入球不能に構成され、
前記特別球受部内に保持された前記遊技球は、前記特別球受部が前記特別排出部上に位置したときに前記特別排出部に入球可能に構成される一方、前記開閉部材によって開状態とされた前記特定排出部上に前記特別球受部が位置しても前記特定排出部に入球不能に構成されていることを特徴とする遊技機。
【請求項２】
前記回動体は、複数の前記特定球受部を有し、
前記開閉部材によって前記特定排出部が閉状態とされ、かつ複数の特定球受部のうちのいずれかである所定の特定球受部に前記遊技機が保持されている状態で、前記新たな遊技球が前記連絡通路を通じて前記回動体に案内された際には、この新たな遊技球は当該所定の特定球受部とは異なる球受部に入球することを特徴とする請求項１に記載の遊技機。
【請求項３】
前記開閉部材によって前記特定排出部が閉状態とされているときに、回動する前記回動体の前記特定球受部内に保持された前記遊技球を前記非排出部上と前記開閉部材上との間を受け渡しする際の前記遊技球に対する抵抗を抑制可能な傾斜部が前記開閉部材の側縁に形成されていることを特徴とする請求項１または請求項２に記載の遊技機。
【発明の詳細な説明】
【技術分野】
【０００１】
本発明は、遊技球が受け入れ可能な球受部を有する回動体を備えたパチンコ遊技機などの遊技機に関する。
【背景技術】
【０００２】
例えば下記特許文献１には、球受部である当たり口（特別入賞口）およびはずれ口（通常入賞口）を有する回動体（回転体）を備えたパチンコ遊技機が記載されている。誘導通路によって回動体まで案内された遊技球は、当たり口およびはずれ口のいずれか一方に入球する。
【先行技術文献】
【特許文献】
【０００３】
【特許文献１】特開２００４−１７４２３８号公報
【発明の概要】
【発明が解決しようとする課題】
【０００４】
しかし、上記特許文献１に記載の遊技機には次のような問題があった。当たり口およびはずれ口のいずれに入球した遊技球も、回動体が一回転すると当該入賞口から排出される。つまり、一旦いずれかの入賞口に入球した遊技球は、その後の遊技展開に全く寄与しないため、遊技者の興味の対象とはならない。
【０００５】
特に、はずれ口に入球した遊技球もすぐに排出されるため、次に回動体まで案内された遊技球が再度同じはずれ口に入球してしまうこともある。このような状態が発生すると、遊技者は遊技球がはずれ口に入球しやすく制御されているのではないかと懐疑心を抱くおそれもある。
【０００６】
上記実情に鑑み、本発明が解決しようとする課題は、回動体が有する球受部に入球した遊技球がすぐに排出されないようにすることが可能な遊技機を提供することにある。
【課題を解決するための手段】
【０００７】
上記課題を解決するためになされた請求項１の発明にかかる遊技機は、遊技者の操作によって遊技球が打ち込まれる遊技領域と、前記遊技領域に配置された入球口と、前記入球口から入球した前記遊技球を案内する連絡通路と、前記連絡通路によって案内された前記遊技球を受け入れ可能かつ下側に遊技球が通過可能な開口が形成された複数の球受部を有し、遊技状態に応じて回動する回動体と、前記複数の球受部のうちの少なくとも一つである特定球受部に案内された前記遊技球を前記特定球受部から外部に排出可能な特定排出部、および前記遊技球を前記特定球受部内で保持可能な非排出部を有するベース部材と、前記特定排出部を閉状態とする位置と前記特定排出部を開状態とする位置との間を遊技状態に応じて移動する開閉部材と、を備え、前記回動体が回動している状態、かつ前記開閉部材によって前記特定排出部が開状態とされている前記特定球受部内の前記遊技球は、前記特定球受部が前記特定排出部に位置しないときには前記特定球受部内に保持された状態で前記非排出部上を転動する一方、前記特定球受部が前記特定排出部に位置することでその保持されていた特定球受部から前記特定排出部を通じて外部に排出され、前記回動体が回動している状態、かつ前記開閉部材によって前記特定排出部が閉状態とされている前記特定球受部内の前記遊技球は、前記特定球受部内に保持された状態で前記非排出部上および前記開閉部材上を転動するとともに、この転動する遊技球を保持する特定球受部には新たな遊技球が入球不能に構成され、前記回動体は、前記複数の球受部のうちの少なくとも一つであって、前記特定球受部と同一平面に沿うように設けられた前記特定球受部とは異なる特別球受部を有するとともに、前記ベース部材は、前記特別球受部に保持された前記遊技球を外部に排出可能な、前記特定排出部と同一平面に沿うように設けられた前記特定排出部とは異なる特別排出部を有し、前記特定球受部内に保持された前記遊技球は、前記開閉部材によって開状態とされた前記特定排出部上に前記特定球受部が位置したときに前記特定排出部に入球可能に構成される一方、前記特定球受部が前記特別排出部上に位置しても前記特別排出部に入球不能に構成され、前記特別球受部内に保持された前記遊技球は、前記特別球受部が前記特別排出部上に位置したときに前記特別排出部に入球可能に構成される一方、前記開閉部材によって開状態とされた前記特定排出部上に前記特別球受部が位置しても前記特定排出部に入球不能に構成されていることを要旨とする。
【０００８】
請求項２に記載の発明は、請求項１に記載の遊技機において、前記回動体は、複数の前記特定球受部を有し、前記開閉部材によって前記特定排出部が閉状態とされ、かつ複数の特定球受部のうちのいずれかである所定の特定球受部に前記遊技機が保持されている状態で、前記新たな遊技球が前記連絡通路を通じて前記回動体に案内された際には、この新たな遊技球は当該所定の特定球受部とは異なる球受部に入球するところに特徴を有する。
【００１２】
請求項３の発明は、請求項１または請求項２に記載の遊技機において、前記開閉部材によって前記特定排出部が閉状態とされているときに、回動する前記回動体の前記特定球受部内に保持された前記遊技球を前記非排出部上と前記開閉部材上との間を受け渡しする際の前記遊技球に対する抵抗を抑制可能な傾斜部が前記開閉部材の側縁に形成されているところに特徴を有する。
【発明の効果】
【００１３】
請求項１に記載の発明では、特定球受部に保持された遊技球は、開閉部材によって特定排出部が閉状態とされている限り、回動体とともに転動し、特定排出部から排出されることはない。つまり、開閉部材を操作することにより、特定球受部に保持された遊技球がすぐに排出されないようにすることが可能となる。かかる機能を利用し、新たな遊技球が回動体に案内されるまで特定球受部に保持された遊技球が排出されないようにすれば、同じ特定球受部に連続して遊技球が入球することはない。
また、回動体が回動しているとき、特別球受部内に保持された遊技球が特定排出部から排出されることがない。換言すれば、特別球受部に入球した遊技球を、確実に特別排出部を通じて排出させることが可能となる。
また、回動体が回動しているとき、特定球受部内に保持された遊技球が特別排出部から排出されることがない。換言すれば、特定球受部に入球した遊技球を、確実に特定排出部を通じて排出させることが可能となる。
【００１４】
請求項２に記載の発明によれば、後から回動体に案内された遊技球は、すでに遊技球が入球している所定の特定球受部とは異なる球受部に入球するから、ある特定の球受部（例えば、はずれの球受部）に意図的に入球させるようにしているのではないかという遊技者の懐疑心を抑えることが可能となる。
【００１８】
請求項３に記載の発明によれば、非排出部と開閉部材を橋渡しするように傾斜部が設けられているため、両者の境界において遊技球をスムーズに転動させることが可能となる。具体的には、両者の境界を転動する際の抵抗（段差による衝撃等）により遊技球が球受部から飛び出てしまう等の問題の発生を抑えることが可能となる。
【図面の簡単な説明】
【００１９】
【図１】本発明の一実施形態にかかる遊技機（遊技盤）の正面図である。
【図２】遊技機の裏側を示した図である。
【図３】回動体演出装置に関連する構成部品以外を省いた遊技盤全体の正面図である。
【図４】図３の外観斜視図である。
【図５】図５（ａ）は回動体演出装置の正面図であり、図５（ｂ）は開閉部材が閉状態にあるときのＡ−Ａ線断面図であり、図５（ｃ）は開閉部材が開状態にあるときのＡ−Ａ線断面図である。
【図６】回動体演出装置の分解斜視図である。
【図７】図６の背面図である。
【図８】閉塞部材が固定された回動体を示した図である。
【図９】図９（ａ）は開閉部材が閉状態にあるときの回動体、ベース部材、および開閉部材を示した図であり、図９（ｂ）は図９（ａ）に示した構成から回動体を取り外した構成を示した図である。
【図１０】図１０（ａ）は開閉部材が開状態にあるときの回動体、ベース部材、および開閉部材を示した図であり、図１０（ｂ）は図１０（ａ）に示した構成から回動体を取り外した構成を示した図である。
【図１１】図１１（ａ）は開閉部材が閉状態にあるときに特別球受部が特定排出部の真上に位置した状態を示した図であり、図１１（ｂ）は特別球受部が特別排出部の真上に位置した状態を示した図である。
【図１２】特定球受部の一つが特別排出部の真上に位置した状態を示した図である。
【図１３】第一連絡通路の正面図である。
【図１４】第二連絡通路の外観斜視図である。
【図１５】図１５（ａ）は第三連絡通路の正面図であり、図１５（ｂ）は第三連絡通路の背面図である。
【発明を実施するための形態】
【００２０】
以下、本発明にかかる実施形態について図面を参照して詳細に説明する。なお、以下の説明において単に前側（前方）とは遊技機１の正面側のことであり、後側（後方）とは遊技機１の背面側のことであり、単に上側（上方）とは遊技機１の上側のことであり、単に下側（下方）とは遊技機１の下側のことである。
【００２１】
（遊技機の全体構成）
遊技機１の全体構成について簡単に説明する。遊技機１の骨格は周知の構成が適用できる。例えば、額縁形状の機枠に前面枠が回動自在に支持されてなる。前面枠には、前側から遊技盤９０を視認可能とする透明な板が設けられている。
【００２２】
図１に示す遊技盤９０は、ほぼ正方形の合板により成形されており、前面枠に着脱可能に取り付けられている。この遊技盤９０には、発射装置から発射された遊技球をガイドする金属製の薄板からなる帯状のガイドレール９１が略円弧形状となるように設けられており、このガイドレール９１によって遊技領域の外郭の一部が形成されている。
【００２３】
遊技盤９０の遊技領域（通常時に遊技球が進入可能な領域）には、表示装置９２、始動入賞口９３１、大入賞口９３２、アウト口９３３などが設けられている。これに加えて、所定の条件を満たしたときに入球可能となる入球口８０が設けられている。通常時には羽根部材８０１が入球口８０を閉鎖しており、入球口８０に遊技球が入球することはないが、所定の条件を満たしたときに羽根部材８０１が入球口８０を開放し、遊技球が入球可能となる。
【００２４】
表示装置９２は、例えば液晶表示装置が用いられ、表示装置９２の表示画面（表示部）において特別図柄や普通図柄等が表示される。かかる表示装置９２の表示画面は、遊技盤９０に形成された開口を通じて視認可能である。
【００２５】
また、遊技盤９０の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００２６】
さらに、表示装置９２の下方には、遊技の演出効果を高めるための回動体演出装置２が設けられている。本実施形態では、回動体演出装置２は、遊技領域との間が仕切られた所定位置に設けられている。入球口８０に進入した遊技球以外の遊技球が回動体演出装置２が設けられた領域に進入することはない。すなわち、羽根部材８０１が入球口８０を開放し、遊技領域に設けられた入賞口に遊技球が入球しない限り、回動体演出装置２が設けられた領域に遊技球が進入することはない。かかる回動体演出装置２の構成の詳細については後述する。
【００２７】
図２に示すように、遊技機１の背面側には、センターベースユニット９４に主制御基板９４１、サブ制御基板９４２、演出制御基板９４３、サブドライブ基板９４４等の各種制御基板（以下これらを一括りにして制御手段と称する）や、発射装置、球タンク、レール等が設けられている。
【００２８】
このような遊技機１では、発射ハンドルの操作により、発射装置から遊技領域に遊技球を発射し、遊技領域を流下する遊技球が、始動入賞口９３１や大入賞口９３２等の入賞口に入賞すると、所定の数の賞球が払出装置により払い出される。
【００２９】
（回動体演出装置の構成）
以下、遊技機１が備える回動体演出装置２の構成について、図１、図３〜図１２を参照して説明する。回動体演出装置２は、遊技状態に応じて回動する回動体１０と、この回動体１０の下方に設けられるベース部材２０と、このベース部材２０に支持された開閉部材３０と、を備える。以下、各構成について詳細に説明する。
【００３０】
回動体１０は、回動体演出装置２の最も上方に位置する円盤状に形成された部材であって、前方に向かって段々と低くなるように傾斜している。この回動体１０には、複数（本実施形態では六つ）の球受部が形成されている（図６、図７参照）。球受部は、遊技球が通ることのできる大きさに形成された貫通孔である。各球受部は、回動体１０の回動中心から略等距離、かつ、周方向において略等間隔に並ぶように形成されている。この球受部は、少なくとも一つ（本実施形態では五つ）の特定球受部１１と、少なくとも一つ（本実施形態では一つ）の特別球受部１２から構成される。遊技球が入球したときの恩恵は、特定球受部１１よりも特別球受部１２の方が大きく設定されている。例えば、大当たり時や特別遊技状態（例えば確率変動状態）に突入する際等に特別球受部１２に遊技球が入球し、はずれ時や特別遊技状態に突入しない時等には特定球受部１１に遊技球が入球するように設定されている。本実施形態にかかる遊技機１では、これらの大当たりや特別遊技状態に突入するか否かは、予め制御手段による内部抽選によって決定されており、遊技球がどの球受部に入球するかによってその後の遊技展開が決定されるわけではない。つまり、回動体演出装置２は、遊技球がいずれかの球受部に入球することを利用して、遊技者にその後の遊技展開を報知する役割を果たすものであって、実際に当否抽選を行うものではない。なお、以下の説明では、抽選に当選した場合（遊技者の受ける恩恵が大きい場合）を総じて「当たり」と、抽選に漏れた場合を総じて「はずれ」と称する。
【００３１】
五つの特定球受部１１のうちの四つは、孔の上側の開口縁が回動体１０の上面に位置するように形成されている。また、五つの特定球受部１１のうちの一つ（以下、この一つの特定球受部１１を特定球受部１１Ｘと、その他の四つの特定球受部１１を特定球受部１１Ｙと称することもある）と特別球受部１２は、孔の上側の開口縁が回動体１０の上面よりも窪んだ凹部１４の底面に位置するように形成されている。凹部１４は、回動体１０の中央を通って回動体１０を二分割するような直線状に形成されており、その一方側の端部に特別球受部１２が、他方側の端部に特定球受部１１Ｘが形成されている。したがって、凹部１４内に入り込んだ遊技球は、特定球受部１１Ｘおよび特別球受部１２の一方に必ず入球することになる。
【００３２】
また、特別球受部１２の外側（回動体１０の径方向外側）の内面は、上側の開口から下側の開口にかけて段々と孔の大きさが小さくなるように傾斜している。つまり、特別球受部１２の下側の開口径は、上側の開口径より小さい。この内径を狭める傾斜した部分が、本発明における第一閉塞部１２１に相当する。この第一閉塞部１２１の存在により、特別球受部１２に遊技球が保持された状態において、当該遊技球を保持する特別球受部１２が開状態とされた特定排出部２１１（後述）の真上に位置したときであっても、当該遊技球が特定排出部２１１から排出されることはない。
【００３３】
回動体１０の後面には閉塞部材４０が固定されている。閉塞部材４０は、円の一部が切り欠かれた板状の部材である。閉塞部材４０は、特定球受部１１の下側の開口の一部を覆う（閉塞部材４０は特定球受部１１の一部と重なる）。特定球受部１１の下側の開口の一部を覆う部分が、本発明における第二閉塞部４１に相当する。一方、閉塞部材４０に形成された上記切り欠きは特別球受部１２の下側開口縁の形状に沿って形成されているため、特別球受部１２は閉塞部材４０に重なっていない。この第二閉塞部４１（閉塞部材４０）の存在により、特定球受部１１に遊技球が保持された状態において、当該遊技球を保持する特定球受部１１が特別排出部２１２（後述）の真上に位置したときであっても、当該遊技球が特別排出部２１２から排出されることはない。なお、第二閉塞部４１（閉塞部材４０）は、本実施形態のように別部材によって構成されていてもよいし、回動体１０に直接形成されていてもよい。特定球受部１１の下側の開口を小さくすることで、特定排出部２１１に保持された遊技球が特別排出部２１２から排出されることがないようにするものであればよい。なお、本発明においては、本実施形態のように第二閉塞部４１が別部材で構成されている場合と、回動体１０に直接形成されている場合の両方を含めて、「特定球受部１１に第二閉塞部４１が形成されている」構成であると規定する。
【００３４】
また、回動体１０の側壁２１６（外周）には、各特定球受部１１の径方向外側に切欠部１３が形成されている。なお、特別球受部１２の径方向外側には、このような切欠部１３は形成されていない。切欠部１３は、側壁２１６の下端縁から所定高さの側方視凹形状の部分である。かかる切欠部１３により、特定球受部１１に入球した遊技球が特定排出部２１１（後述）から排出される際に通過する開口（空間）大きくなる。
【００３５】
また、回動体１０の下面中央には、軸部材５０が固定されている。軸部材５０は、その上側端部が回動体１０に固定され、下側端部が回動体駆動部６０（ステッピングモータ）に連結されている。なお、回動体１０の下面中央と軸部材５０の間には、上記閉塞部材４０が介在されており、軸部材５０と回動体駆動部６０との間には、開閉部材３０やベース部材２０が介在されている。軸部材５０は、これらの部材の中央に形成された貫通孔を通じて、回動体１０と回動体駆動部６０を繋ぐ。これにより、回動体駆動部６０を駆動させることによって回動体１０が回動する。
【００３６】
ベース部材２０は、回動体１０を支持する丸い盆状の回動体支持部２１を有する。周囲を囲む回動体支持部２１の環状の側壁２１６は回動体１０の外周よりもやや大きく形成されており、回動体１０はこの側壁２１６の内側を回動する。この回動支持部の底面には、一部が扇形状に窪んでいる（以下当該部分を窪みＨと称する）。この扇形の窪みＨの径方向外側には、ベース部材２０を貫通する貫通孔である特定排出部２１１が形成されている。この特定排出部２１１の大きさは、少なくとも遊技球が通ることのできる大きさに設定されている。また、回動体支持部２１の中央（環状の側壁２１６の中央）には、前方に突出した開閉部材支持軸２１４が形成されている。この開閉部材支持軸２１４は、扇形の窪みＨ内における扇の中心寄りに位置する。また、窪みＨ内には、開閉部材支持軸２１４に沿う円弧状の長孔であるガイド孔２１５が形成されている。さらに、窪みＨの底面（非排出部２１３）には、円弧状の突起である誘導部２３が形成されている。誘導部２３は、回動体１０の回動とともに遊技球がスムーズに転動するように遊技球をガイドする。
【００３７】
一方、窪みＨの外側（窪みＨが形成されていない部分）であって、特定排出部２１１の略反対側には、ベース部材２０を貫通する貫通孔である特別排出部２１２が形成されている。この特定排出部２１１の大きさは、少なくとも遊技球が通ることのできる大きさに設定されている。このように、ベース部材２０には遊技球が通過可能な特定排出部２１１や特別排出部２１２が形成されているが、これら排出部以外の遊技球を支持することが可能な部分が、本発明における非排出部２１３に相当する。
【００３８】
ベース部材２０における回動体支持部２１の外側には、ベース部材２０およびこれに取り付けられた各部材、すなわち回動体演出装置２全体を遊技機１の所定位置に取り付けるための被取付部２２が設けられている。
【００３９】
開閉部材３０は、扇形の一部が切り欠かれたような形状の板状体である。扇形の中心側には、貫通孔である支持孔３１が形成されている。この支持孔３１がベース部材２０の開閉部材支持軸２１４が係合されることにより、開閉部材３０は回動自在にベース部材２０に支持されている。詳しくは、開閉部材支持軸２１４はベース部材２０の窪みＨ内に設けられているから、この窪みＨの内側が開閉部材３０の回動可能な範囲となる。つまり、開閉部材３０は、その一方側の側面が窪みＨの一方側の側面に接触する位置（特定排出部２１１を閉状態とする位置）から、他方側の側面が窪みＨの他方側の側面に接触する位置（特定排出部２１１を開状態とする位置）まで回動可能である。また、開閉部材３０の裏面には、下方に向かって突出する連繋軸３２が形成されている。連繋軸３２は、ベース部材２０に形成されたガイド孔２１５に挿通されている。ガイド孔２１５に挿通されることによりベース部材２０の裏面から突出した連繋軸３２には、開閉部材駆動部７０の出力部７２が係合される。本実施形態では、開閉部材駆動部７０の駆動源としてソレノイド７１を用いており、このソレノイド７１によって出力部７２が進退動作する。連繋軸３２は、出力軸の先端の二股状の部分の間に係合されている。出力部７２が進退動作することにより、連繋軸３２がガイド孔２１５に案内されつつ、開閉部材３０が回動する。
【００４０】
開閉部材３０の外側は大きく切り欠かれている。この切り欠かれた部分３３の存在により、開閉部材３０が所定位置に位置する際に特定排出部２１１が開状態となる（詳細は後述の動作説明参照）。さらに、開閉部材３０の当該切り欠かれた部分３３の縁、および、一方側の側縁の一部には、段々と開閉部材３０の厚みが小さくなるように滑らかに傾斜した傾斜部３４が形成されている。かかる傾斜部３４は、回動体１０に保持された遊技球が転動する一部分を構成する（詳細は後述の動作説明参照）。
【００４１】
（回動体演出装置に遊技球を導く構成）
次に、このような構成を備える回動体演出装置２まで遊技球を導く構成について、図１、図３、図４、図１３〜図１５を参照して以下簡単に説明する。
【００４２】
上述したように、遊技領域には、所定の条件を満たしたときに羽根部材８０１が動作し開放される入球口８０が設けられている。ここでいう所定の条件を満たしたときとは、例えば、通常遊技中に回動体演出装置２によるリーチ演出を実行することが決定された場合や、大当たりラウンド中に当該大当たりが確変大当たりか否かを回動体演出装置２を用いて報知する演出を実行することが決定された場合等が挙げられる。
【００４３】
入球口８０から入球した遊技球は、表示装置の左に配置された第一連絡通路８１内を通って下方に落下する。この第一連絡通路８１の出口は、表示装置の左下に配置された第二連絡通路８２の入口に繋がっている。第一連絡通路８１の出口から出た遊技球は、第二連絡通路８２内に入り込む。第二連絡通路８２は、途中で第三連絡通路８３に繋がる通路と、アウト口９３３に繋がる通路８２２（排出通路）に分岐する。分岐地点と第三通路への排出口との間（以下当該部分を貯留部８２１と称する）には、所定数の遊技球（本実施形態では三個）しか貯留できないようになっている。したがって、貯留部８２１に所定数の遊技球が貯留された後から分岐地点まで流下した遊技球は、アウト口９３３へ繋がる通路８２２から排出される。
【００４４】
貯留部８２１に貯留された遊技球は、第二連絡通路８２の排出口の手前に設けられた図示されないシャッターの開閉操作により、一つずつ第三連絡通路８３内に送り込まれる。第三連絡通路８３は、左右に各一つ、計二つの送球口が設けられた幅方向に延びる筒状の通路である。この第三連絡通路８３は、図示されない駆動部によって左右に傾動可能である。第三連絡通路８３が左に傾いた状態（左側端部が下方に位置した状態）で左側の送球口８３１の手前に設けられた図示されないシャッターが開状態とされると、左側の送球口８３１から遊技球が送球される。第三連絡通路８３が右に傾いた状態（右側端部が下方に位置した状態）で右側の送球口８３２の手前に設けられた図示されないシャッターが開状態とされると、右側の送球口８３２から遊技球が送球される。
【００４５】
第三連絡通路８３の左側の送球口８３１から送球された遊技球は、第一ルート８４を通って転動していき、第一落下口８４１から回動体１０（回動体演出装置２）に向かって落下する。第一落下口８４１は、回動体１０における特定球受部１１や特別球受部１２が形成された径方向位置の真上に位置する。したがって、第一落下口８４１から落下した遊技球は、特定球受部１１および特別球受部１２（全ての球受部）のいずれかに入球する可能性がある。すなわち、本実施形態において、遊技球が第一ルート８４を通る場合の特別球受部１２に入球する見かけ上の確率は１／６である。
【００４６】
一方、第三連絡通路８３の右側の送球口８３２から送球された遊技球は、第二ルート８５を通って転動していき、第二落下口８５１から回動体１０（回動体演出装置２）に向かって落下する。第二落下口８５１は、回動体１０の中央の略真上に位置するため、第二落下口８５１から落下した遊技球は、回動体１０に形成された凹部１４の中央に落下する。したがって、第二落下口８５１から落下した遊技球は、特定球受部１１Ｘおよび特別球受部１２の一方に必ず入球する。すなわち、本実施形態において、遊技球が第二ルート８５を通る場合の特別球受部１２に入球する見かけ上の確率は１／２である。
【００４７】
上述したように、本実施形態の回動体演出装置２は、あくまで遊技球がいずれかの球受部に入球することを利用して、遊技者にその後の遊技展開を報知する役割を果たすものであって、実際の当否抽選を行うものではない。したがって、制御手段が行った当否抽選の結果に応じて、所定の球受部に入球させることを自在に設定することが可能である。つまり、回動体駆動部６０であるステッピングモータによって回動体１０の回動方向位置を検出するとともに、第三連絡通路８３の左側の送球口８３１あるいは右側の送球口８３２から遊技球が送球されるタイミング等を調節することによって、狙った球受部内に遊技球を入球させることが可能である。より詳しくは、第一ルート８４を経由させる場合には、回動体１０の回動方向位置を検出することによって、直接五つの特定球受部１１または一つの特別球受部１２のいずれかに入球させる。一方、第二ルート８５を経由させる場合、凹部１４の中央に遊技球を落下させることになるが、回動体１０は前方に向かって段々と低くなるように傾斜しているため、特定球受部１１Ｘが回動体１０の下方側に位置する状態で遊技球を凹部１４に落下させれば特定球受部１１Ｘに遊技球を入球させることができ、特別球受部１２が下方側に位置する状態で遊技球を凹部１４に落下させれば特別球受部１２に遊技球を入球させることができる。すなわち、凹部１４に遊技球を落下させたときに下方に位置する方の球受部に向かって重力により遊技球を転動させ、当該球受部に遊技球を入球させる。
【００４８】
（回動体演出装置の動作）
上記構成を備える回動体演出装置２の動作について、一部上記説明と重複するが以下詳細に説明する。
【００４９】
回動体演出装置２による演出が行われることが決定した後、回動体駆動部６０であるステッピングモータは、回動体１０を回動させる。この回動体１０の回動態様は適宜選択可能である。例えば、一定速度で同じ方向に回動体１０を回動させ続けてもよいし、逆方向に回動したり、コマ送りで回動する態様が発生するようにしてもよい。回動体１０の回動が開始するタイミングも適宜選択可能である。
【００５０】
制御手段が行った実際の当否抽選が「はずれ」であることが決定している場合には、貯留部８２１に貯留された遊技球（本実施形態では三つの遊技球）の全てを特定球受部１１に入球させることになる。以下、かかる場合の演出態様の一例について説明する。一球目の遊技球は第一ルート８４を経由させて四つの特定球受部１１Ｙのいずれか、または、第二ルート８５を経由させて特定球受部１１Ｘに入球させる。この一球目の遊技球が入球する前に、開閉部材駆動部７０は出力部７２を前進させ、特定排出部２１１を閉状態とする位置に開閉部材３０を位置させる。このように特定排出部２１１が閉状態となっていれば、特定球受部１１Ｙに一球目の遊技球が保持された状態で回動体１０が回動し、当該遊技球を保持する特定球受部１１が特定排出部２１１の真上に位置したとしても、特定排出部２１１から遊技球が排出されることはない（図５（ｂ）、図９参照）。
【００５１】
また、当該遊技球を保持する特定球受部１１が特別排出部２１２の真上に位置したとしても、特定球受部１１には第二閉塞部４１が形成されているため、特定球受部１１の下側の開口と特別排出部２１２の境界には遊技球が通過することのできる空間（孔）が存在しない。したがって、当該遊技球を保持する特定球受部１１が特別排出部２１２の真上に位置した状態であっても、当該遊技球が特別排出部２１２から排出されることはない（図１２参照）。
【００５２】
このように、特定排出部２１１を閉状態とする位置に開閉部材３０を位置させておけば、特定球受部１１に保持された遊技球が排出部（特定排出部２１１および特別排出部２１２）から排出されることはないから、当該一の特定球受部１１に遊技球が保持された状態で、回動体１０は回動し続ける。このとき、当該一の特定球受部１１に保持された遊技球は、ベース部材２０の非排出部２１３上（窪みＨ内では誘導部２３にガイドされる）および開閉部材３０上を転動する。開閉部材３０に形成された傾斜部３４は、非排出部２１３上と開閉部材３０上との間を受け渡しする際の転動する遊技球に対する抵抗を抑制する。つまり、遊技球は非排出部２１３と開閉部材３０の境界に存在する傾斜部３４によって両者の境界を遊技球はスムーズに転動する。
【００５３】
続いて、二球目の遊技球が回動体１０に向けて送り込まれる。このとき、既に一の特定球受部１１には遊技球が保持されているから、遊技球が受け入れ可能な球受部は、残り四つの特定球受部１１か一つの特別球受部１２である。ゆえに、この時点で遊技球が特別球受部１２に入球する見かけ上の確率は、第一ルート８４が選択された場合（最低）でも１／５ということになる。そうすると、遊技者は、一球目の遊技球が一の特定球受部１１Ｙに入球したことによって、当たりの可能性が高まった印象を受けることになる。かかる二球目の遊技球は、一球目の遊技球を特定球受部１１Ｙに入球させた場合には、第一ルート８４を経由させて残り三つの特定球受部１１Ｙのいずれか、または、第二ルート８５を経由させて特定球受部１１Ｘに入球させる。したがって、二の特定球受部１１のそれぞれに遊技球が保持されて回動体１０が回動している状態となる。
【００５４】
続いて、三球目の遊技球が回動体１０に向けて送り込まれる。このとき、既に二の特定球受部１１には遊技球が保持されているから、遊技球が受け入れ可能な球受部は、残り三つの特定球受部１１か一つの特別球受部１２である。ゆえに、この時点で遊技球が特別球受部１２に入球する見かけ上の確率は、第一ルート８４が選択された場合（最低）でも１／４ということになる。そうすると、遊技者は、一球目に続いて二球目の遊技球が特定球受部１１に入球したことによって、さらに当たりの可能性が高まった印象を受けることになる。
【００５５】
今回は、制御手段が行った実際の当否抽選が「はずれ」であるケースであるため、三球目の遊技球は残り三つの特定球受部１１のいずれかに入球させる。一球目、二球目の遊技球を特定球受部１１Ｙに入球させた場合には、第一ルート８４を経由させて残り二つの特定球受部１１Ｙのいずれか、または、第二ルート８５を経由させて特定球受部１１Ｘに入球させる。全ての遊技球が球受部に入球した後（演出終了後）、開閉部材駆動部７０を駆動させ、特定排出部２１１を開状態とする方向に開閉部材３０を移動させる。この状態で回動体１０を回動させ、遊技球が保持された特定球受部１１が特定排出部２１１の真上に位置した状態となると、当該特定球受部１１に保持された遊技球は特定排出部２１１から排出される。回動体１０を少なくとも一回転させれば、遊技球が保持された三つの特定球受部１１の全てが、少なくとも一度は特定排出部２１１の真上に位置した状態となるから、当該三つの特定球受部１１に保持された遊技球の全てが特定排出部２１１から排出される（図１０参照）。
【００５６】
上述したように、回動体１０の側壁２１６には各特定球受部１１の径方向外側に切欠部１３が形成されており、かかる切欠部１３によって特定球受部１１に入球した遊技球が特定排出部２１１から排出される際に通過する開口が大きくなる（「特定排出部２１１＋切欠部１３」の大きさの開口から排出される）ため（図５（ｃ）参照）、特定球受部１１に保持された遊技球の特定排出部２１１からの排出がスムーズに行われる。
【００５７】
以上が制御手段が行った実際の当否抽選が「はずれ」である場合の回動体演出装置２の動作であるが、かかる動作例はあくまで一例である。回動体１０に送られる全ての遊技球が特別球受部１２に入球しないように制御されるものであれば、どのようなものであってもよい。例えば、以下のような変形例が考えられる。
【００５８】
特定排出部２１１に入球した遊技球は、必ず演出の最後まで当該特定球受部１１に保持されるのではなく、演出の途中で排出されることがあるものとしてもよい。例えば、上記の動作例において、三球目の遊技球が回動体１０に向けて送られる前に、一球目および二球目の遊技球が排出されることがあるようにしてもよい。つまり、開閉部材３０によって特定排出部２１１を開状態とするタイミングや閉状態とするタイミングは適宜設定可能であるから、特定球受部１１に保持された遊技球を排出するタイミングは自由に設定することが可能である。このようにすれば、遊技者は特定球受部１１に保持された遊技球が排出されることがないように願いつつ遊技を行うことになるため、遊技の興趣を向上させることが可能となる。
【００５９】
また、演出の最後の遊技球（上記動作例であれば三球目の遊技球）以外の遊技球が、第二ルート８５を経由して凹部１４に落下する場合があるが、この場合、当該遊技球は特定球受部１１Ｘに入球するが、次の遊技球が回動体１０に向かって送られる前に、特定球受部１１Ｘに入球した遊技球を特定排出部２１１から排出させてもよいし、そのまま特定球受部１１Ｘに保持させてもよい。ただし、特定球受部１１Ｘに保持させる場合には、その後回動体１０に送られる遊技球は、必ず第一ルート８４を経由していずれかの特定球受部１１Ｙに入球させることを選択しなければならない。既に特定球受部１１Ｘに遊技球が保持されている状態で、第二ルート８５を経由させて凹部１４に遊技球を落下させてしまうと、「はずれ」であるにも拘わらず特別球受部１２に入球させるしかなくなるからである。
【００６０】
一方、制御手段が行った実際の当否抽選が「当たり」であることが決定している場合には、貯留部８２１に貯留された遊技球（本実施形態では三つの遊技球）のいずれかを特別球受部１２に入球させることになる。以下、かかる場合の演出態様の一例について説明する。一球目の遊技球は第一ルート８４を経由させて四つの特定球受部１１Ｙのいずれか、または、第二ルート８５を経由させて特定球受部１１Ｘに入球させる。この一球目の遊技球が入球する前に、開閉部材駆動部７０は出力部７２を前進させ、特定排出部２１１を閉状態とする位置に開閉部材３０を位置させる。このように特定排出部２１１が閉状態となっていれば、特定球受部１１Ｙに一球目の遊技球が保持された状態で回動体１０が回動し、当該遊技球を保持する特定球受部１１が特定排出部２１１の真上に位置したとしても、特定排出部２１１から遊技球が排出されることはない（図５（ｂ）、図９参照）。
【００６１】
続いて、二球目の遊技球が回動体１０に向けて送り込まれる。このとき、既に一の特定球受部１１には遊技球が保持されているから、遊技球が受け入れ可能な球受部は、残り四つの特定球受部１１か一つの特別球受部１２である。ゆえに、この時点で遊技球が特別球受部１２に入球する見かけ上の確率は、第一ルート８４が選択された場合（最低）でも１／５ということになる。そうすると、遊技者は、一球目の遊技球が一の特定球受部１１に入球したことによって、当たりの可能性が高まった印象を受けることになる。かかる二球目の遊技球は、一球目の遊技球を特定球受部１１Ｙに入球させた場合には、第一ルート８４を経由させて残り三つの特定球受部１１Ｙのいずれか、または、第二ルート８５を経由させて特定球受部１１Ｘに入球させる。したがって、二の特定球受部１１のそれぞれに遊技球が保持されて回動体１０が回動している状態となる。
【００６２】
続いて、三球目の遊技球が回動体１０に向けて送り込まれる。このとき、既に二の特定球受部１１には遊技球が保持されているから、遊技球が受け入れ可能な球受部は、残り三つの特定球受部１１か一つの特別球受部１２である。ゆえに、この時点で遊技球が特別球受部１２に入球する見かけ上の確率は、第一ルート８４が選択された場合（最低）でも１／４ということになる。そうすると、遊技者は、一球目に続いて二球目の遊技球が特定球受部１１に入球したことによって、さらに当たりの可能性が高まった印象を受けることになる。
【００６３】
今回は、制御手段が行った実際の当否抽選が「当たり」であるケースであるため、三球目の遊技球は特別球受部１２に入球させる。すなわち、第二ルート８５を経由させて特別球受部１２に入球させるか、第一ルート８４を経由させて直接特別球受部１２に入球させる。全ての遊技球が球受部に入球した後、開閉部材駆動部７０を駆動させ、特定排出部２１１を開状態とする方向に開閉部材３０を移動させる。この状態で回動体１０を回動させ、遊技球が保持された特定球受部１１が特定排出部２１１の真上に位置した状態となると、当該特定球受部１１に保持された遊技球は特定排出部２１１から排出される（図１０参照）。
【００６４】
一方、特別球受部１２に保持された遊技球は、必ず特別排出部２１２を通じて排出される。上述したように、特別排出部２１２には、その内径を狭めるように傾斜した第一閉塞部１２１が形成されているため、特別球受部１２に遊技球が保持された状態において、当該遊技球を保持する特別球受部１２が開状態とされている特定排出部２１１の真上に位置したときであっても、特別球受部１２から特定排出部２１１を通じて遊技球が排出されることはない（図１１（ａ）参照）。回動体１０が少なくとも一回転すれば、少なくとも一度は特別球受部１２が特別排出部２１２の真上に位置する状態となる。かかる状態となれば、特別球受部１２に保持された遊技球が特別排出部２１２を通じて排出される（図１１（ｂ）参照）。
【００６５】
以上が制御手段が行った実際の当否抽選が「当たり」である場合の回動体演出装置２の動作であるが、かかる動作例はあくまで一例である。回動体１０に送られる遊技球のいずれかが特別球受部１２に入球するように制御されるものであれば、どのようなものであってもよい。例えば、以下のような変形例が考えられる。
【００６６】
上記「はずれ」である場合の動作例と同様に、特定排出部２１１に入球した遊技球は、必ず最後の演出の最後まで当該特定球受部１１に保持されるのではなく、演出の途中で排出されることがあるものとしてもよい。
【００６７】
また、演出の最後の遊技球（上記動作例であれば三球目の遊技球）以外の遊技球が、特別球受部１２に入球することがあってもよい。この場合は、特別球受部１２に遊技球が入球したことをもって、演出を終了させてもよいし、特別球受部１２に入球した遊技球を特別排出部２１２から排出した後、演出を継続させるようにしてもよい。演出を継続させる場合としては、一回の演出で特別球受部１２に入球した遊技球の数が多ければ多いほど遊技者に与える特典が大きくなるといった演出にする場合が考えられる。
【００６８】
また、演出の最後の遊技球（上記動作例であれば三球目の遊技球）以外の遊技球が、特定球受部１１Ｘに入球することがあってもよい。この場合、当該遊技球は特定球受部１１Ｘに入球するが、次の遊技球が回動体１０に向かって送られる前に、特定球受部１１Ｘに入球した遊技球を特定排出部２１１から排出させてもよいし、そのまま特定球受部１１Ｘに保持させてもよい。そのまま特定球受部１１Ｘに保持させるようにすれば、その後回動体１０に送られる遊技球が第二ルート８５を通った時点で、当該遊技球が特別球受部１２に入球することが確定する演出を提供できる。
【００６９】
（本実施形態の主な作用効果）
以上説明した本発明にかかる遊技機１によれば、次のような作用効果が奏される。
【００７０】
特定球受部１１に保持された遊技球は、開閉部材３０によって特定排出部２１１が閉状態とされている限り、回動する回動体１０とともに転動し、特定排出部２１１から排出されることはない。つまり、開閉部材３０を操作することにより、特定球受部１１に保持された遊技球がすぐに排出されないようにすることが可能となる。換言すれば、特定球受部１１に保持された遊技球を排出するタイミングは自在に設定可能である。かかる機能を利用し、新たな遊技球が回動体１０に案内されるまで特定球受部１１に保持された遊技球が排出されないようにすれば、同じ特定球受部１１に連続して遊技球が入球することはない。
【００７１】
そして、後から回動体１０に案内された遊技球は、すでに遊技球が入球している所定の特定球受部１１とは異なる球受部に入球するから、ある特定の球受部に意図的に入球させるようにしているのではないかという遊技者の懐疑心を抑えることが可能となる。
【００７２】
また、特別球受部１２に形成された第一閉塞部１２１により、回動体１０が回動しているとき、特別球受部１２内に保持された遊技球が特定排出部２１１から排出されることがない。つまり、特別球受部１２に入球した遊技球を、確実に特別排出部２１２を通じて排出させることが可能となる。
【００７３】
また、特定球受部１１に形成された第二閉塞部４１により、回動体１０が回動しているとき、特定球受部１１内に保持された遊技球が特別排出部２１２から排出されることがない。つまり、特定球受部１１に入球した遊技球を、確実に特定排出部２１１を通じて排出させることが可能となる。
【００７４】
また、回動体１０の側壁２１６に形成された切欠部１３によって特定球受部１１内に保持された遊技球を排出する口が大きくなる（「特定排出部２１１＋切欠部１３」の大きさの開口から排出される）ため、当該遊技球をスムーズに排出することが可能となる。特に、本実施形態のように、特定球受部１１には特別排出部２１２から遊技球が排出されることを阻止する第二閉塞部４１が形成されており、この第二閉塞部４１によって特定球受部１１内に保持された遊技球の特定排出部２１１からの排出が阻害されてしまうおそれがある場合には、切欠部１３によって排出される口が大きくなるため効果的である（切欠部１３を形成する意義が大きい）。
【００７５】
また、開閉部材３０には、非排出部２１３上面と開閉部材３０上面を橋渡しするように傾斜部３４が設けられているため、両者の境界において遊技球をスムーズに転動させることが可能となる。具体的には、両者の境界を転動する際の抵抗（段差による衝撃等）により遊技球が球受部から飛び出てしまう等の問題の発生を抑えることが可能となる。
【００７６】
また、実際の当否抽選は制御手段によって行われ、回動体演出装置２は実際に当否抽選を行うものではないから、遊技機１に衝撃を与えたり、磁石を用いて特別球受部１２に遊技球を入球させる等の不正行為によって当たりを誘発するいわゆるゴト行為を防止することが可能となる。
【００７７】
以上、本発明の実施の形態について詳細に説明したが、本発明は上記実施の形態に何ら限定されるものではなく、本発明の要旨を逸脱しない範囲で種々の改変が可能である。
【００７８】
なお、上述した本実施形態にかかる遊技機では、大当たりや特別遊技状態に突入するか否かという当否を予め制御手段による内部抽選により決定していたが、従来のように、回転体演出装置２により遊技球がいずれの球受部に入球したかにより実際に当否を抽選する構成としてもよい。この構成では、開閉部材３０によって特定排出部２１１が閉状態とされている限り、特定球受部１１に保持された遊技球が回動する回動体１０とともに転動して特定排出部２１１から排出されることがないため、次の遊技球が特別球受部１２に入球する確率を見かけ上ではなく実際にアップさせることが可能となる。この場合、開閉部材３０によって特定排出部２１１を開状態とするタイミングは、適宜設定することが可能である。例えば、遊技球が特別球受部１２に入球したときに、あるいは、所定数の遊技球がそれぞれ特定球受部１１に入球したときに特定球受部２１１を開状態にする方向に開閉部材３０を移動させる構成にすればよい。
【符号の説明】
【００７９】
１        遊技機
２        回動体演出装置
１０      回動体
１１      特定球受部
１２      特別球受部
１１２    第一閉塞部
１３      切欠部
２０      ベース部材
２１１    特定排出部
２１２    特別排出部
２１３    非排出部
３０      開閉部材
３４      傾斜部
４０      閉塞部材
４１      第二閉塞部
８０      入球口
８１      第一連絡通路
８２      第二連絡通路
８３      第三連絡通路
【図１】
0005938618.tif 000002
【図２】
0005938618.tif 000003
【図３】
0005938618.tif 000004
【図４】
0005938618.tif 000005
【図５】
0005938618.tif 000006
【図６】
0005938618.tif 000007
【図７】
0005938618.tif 000008
【図８】
0005938618.tif 000009
【図９】
0005938618.tif 000010
【図１０】
0005938618.tif 000011
【図１１】
0005938618.tif 000012
【図１２】
0005938618.tif 000013
【図１３】
0005938618.tif 000014
【図１４】
0005938618.tif 000015
【図１５】
0005938618.tif 000016